(57)【特許請求の範囲】
【請求項１】
ケーシングと、
該ケーシングに対して押下方向および突出方向に移動する操作ボタンと、
前記操作ボタンが前記移動の範囲の間位置である待機状態から前記押下方向へ押下操作されると該押下操作を検知する押下検知部と、
前記操作ボタンを前記待機状態から前記突出方向へ押し出す可動鉄芯を備えるソレノイドと、
前記操作ボタンが前記待機状態から前記押下方向へ押下されるに伴って移動する前記可動鉄芯の押下移動を許容し、かつ、押下移動した前記可動鉄芯を前記ソレノイドが駆動可能な前記待機状態時の位置へ付勢により復帰させる付勢手段と、
前記待機状態から前記押下方向へ移動する前記操作ボタンに押圧されて連動する中間体と、
前記中間体を前記突出方向へ付勢する中間体付勢手段と、
前記中間体が前記待機状態での待機位置より前記突出方向への移動量を規制する突出方向抜け止め手段とを備え、
前記操作ボタンは、前記可動鉄芯に向かって突出する略筒状の鉄芯側突出筒部を備え、
前記中間体は、前記操作ボタンの鉄芯側突出筒部を挿通許容する突出筒部挿通孔を備え、
前記鉄芯側突出筒部と前記突出筒部挿通孔との互いの当接面を、前記可動鉄芯側から前記操作ボタン側へ向かって末広がりとなるテーパ形状に形成した
操作スイッチ装置。
【請求項２】
前記ケーシングは、
前記操作ボタンの外周に当接して前記押下方向および突出方向への移動をガイドする外周ガイド部と、
前記操作ボタンの前記鉄芯側突出筒部に当接して前記押下方向および突出方向への移動をガイドする鉄芯側ガイド部とを備えた
請求項１記載の操作スイッチ装置。
【請求項３】
請求項１又は２に記載の操作スイッチ装置と、
遊技媒体の投入を受け付ける遊技媒体投入部と、
遊技を行う遊技部と、
遊技結果に基づく遊技媒体の払い出しを行う遊技媒体払い出し部と、
前記ソレノイドのＯＮ／ＯＦＦタイミングを制御して前記操作スイッチの動作制御を行う制御部とを備えた
遊技機。
【発明の詳細な説明】
【技術分野】
【０００１】
この発明は、例えばパチンコ遊技機などの遊技媒体を用いる遊技機に設けられる操作スイッチ装置、および該操作スイッチ装置を備えた遊技機に関し、さらに詳しくは遊技機の演出効果を高める操作スイッチ装置及び遊技機に関する。
【背景技術】
【０００２】
従来、遊技機としてパチンコ遊技機が広く普及している。このパチンコ遊技機は、ボタン部を有する押しボタンスイッチが設けられている。このパチンコ遊技機は、遊技者に対してゲーム中にボタン部を点滅する等の演出を行うことにより、遊技者に対してゲームへの期待感等を持たせている。
【０００３】
このような演出の一つとして、ボタン部を突出させる遊技用押ボタンスイッチが提案されている（特許文献１参照）。この遊技用押ボタンスイッチは、特許文献１の図４，図５に示されるように、押ボタン６を突出させる為にソレノイド２５を使用した構造である。上記構造は、ソレノイド２５を引き込むことで押ボタン６が突出状態となるが、その後の動きが無く演出効果は低いという問題がある。
【０００４】
また別の演出として、押しボタンスイッチの操作荷重を変化させる遊技用押ボタンスイッチが提案されている（特許文献２参照）。この遊技用押ボタンスイッチは、特許文献２の図２に示されるように、操作ボタン１０の圧縮バネ１２１のセット長をソレノイド１２２で変化させて操作荷重を変えている。上記構造でのソレノイド１２２の可動距離では、圧縮バネ１２１のセット長が短く、バネ力の範囲内で操作荷重を変化させることになる。このため、所定のストロ−クでバネ力を変化させても、操作荷重が変化したことを遊技者は判りにくいという問題がある。
【０００５】
また別の演出として、押しボタンスイッチを振動させて、遊技者に触覚的に演出する演出ボタンユニットが提案されている（特許文献３参照）。この演出ボタンユニットは、特許文献３の図３に示されるように、演出ボタン２４の裏側に振動モータ２５が取り付けられている。しかし、このような構成では、遊技者は、触らないと演出がわからず、また、筐体のスピーカの振動との区別がつきにくいため、演出効果が低いという問題がある。
【０００６】
このように、特許文献１から３に記載の遊技用押ボタンスイッチ等には、未だ改善の余地が残っていた。
【先行技術文献】
【特許文献】
【０００７】
【特許文献１】特開２００７−２９６０９０号公報
【特許文献２】特開２００６−２８０７５２号公報
【特許文献３】特開２００７−７５３３１号公報
【発明の概要】
【発明が解決しようとする課題】
【０００８】
この発明は、上述した問題に対し、押しボタンの突出および復帰動作を自在に実行でき、かつ、押しボタンの操作荷重を遊技者が感じられるほどに変化させることができる操作スイッチ装置および遊技機を提供し、遊技者にインパクトのある演出効果を与えることを目的とする。
【課題を解決するための手段】
【０００９】
この発明は、ケーシングと、該ケーシングに対して押下方向および突出方向に移動する操作ボタンと、前記操作ボタンが前記移動の範囲の間位置である待機状態から前記押下方向へ押下操作されると該押下操作を検知する押下検知部と、前記操作ボタンを前記待機状態から前記突出方向へ押し出す可動鉄芯を備えるソレノイドと、前記操作ボタンが前記待機状態から前記押下方向へ押下されるに伴って移動する前記可動鉄芯の押下移動を許容し、かつ、押下移動した前記可動鉄芯を前記ソレノイドが駆動可能な前記待機状態時の位置へ付勢により復帰させる付勢手段と、前記待機状態から前記押下方向へ移動する前記操作ボタンに押圧されて連動する中間体と、前記中間体を前記突出方向へ付勢する中間体付勢手段と、前記中間体が前記待機状態での待機位置より前記突出方向への移動量を規制する突出方向抜け止め手段とを備え、前記操作ボタンは、前記可動鉄芯に向かって突出する略筒状の鉄芯側突出筒部を備え、前記中間体は、前記操作ボタンの鉄芯側突出筒部を挿通許容する突出筒部挿通孔を備え、前記鉄芯側突出筒部と前記突出筒部挿通孔との互いの当接面を、前記可動鉄芯側から前記操作ボタン側へ向かって末広がりとなるテーパ形状に形成した操作スイッチ装置であることを特徴とする。
【００１０】
前記押下検知部は、透過型センサ、反射型センサ、スイッチ、あるいは近接センサなど、押下を検知する適宜の検知部により構成することができる。  
前記付勢手段は、バネ、ゴム、あるいはスポンジなど、付勢力を発揮する適宜の手段により構成することができる。
【００１１】
この発明により、操作ボタンの突出および復帰動作を自在に実行でき、かつ、操作ボタンの操作荷重を遊技者が感じられるほどに変化させることができる。
【００１２】
特に、操作ボタンの突出と、該突出状態でのソレノイドの吸着力に起因する押下操作時に必要な操作荷重の増大とを両方同時に実行できるため、この突出と操作荷重増大という演出を遊技者に明瞭に認識させることができる。
【００１３】
前記中間体付勢手段は、バネ、ゴム、あるいはスポンジなど、付勢力を発揮する適宜の手段により構成することができる。
【００１４】
前記突出方向抜け止め手段は、前記中間体と前記ケーシングとにそれぞれ対応して設けられることができ、例えば、移動後に互いに当接して移動係止する突起、移動方向を規制するガイドレールの端部と該ガイドレールに沿って移動し端部に当接するガイドレール係合部、あるいは、移動範囲に伸びる溝孔と該溝孔内を移動して該溝孔端部に当接して係止する凸部など、適宜の構成とすることができる。
【００１５】
前記鉄芯側突出筒部と前記突出筒部挿通孔との互いの当接面を、前記可動鉄芯側から前記操作ボタン側へ向かって末広がりとなるテーパ形状に形成することにより、待機状態での姿勢を安定させることができ、遊技者にわかりやすい明瞭な突出動作および突出解除動作を実行することができる。
【００１６】
これにより、前記ソレノイドが前記可動鉄芯を突出させることによって前記操作ボタンを直接突出させることができ、かつ、該突出動作を前記テーパ形状によってスムーズに実行することができる。
【００１７】
またこの発明の態様として、前記ケーシングは、前記操作ボタンの外周に当接して前記押下方向および突出方向への移動をガイドする外周ガイド部と、前記操作ボタンの前記鉄芯側突出筒部に当接して前記押下方向および突出方向への移動をガイドする鉄芯側ガイド部とを備えることができる。
【００１８】
これにより、操作ボタンが移動時に傾動することを防止でき、安定した押下／突出動作を実現できる。
【００１９】
またこの発明は、前記操作スイッチ装置と、遊技媒体の投入を受け付ける遊技媒体投入部と、遊技を行う遊技部と、遊技結果に基づく遊技媒体の払い出しを行う遊技媒体払い出し部と、前記ソレノイドのＯＮ／ＯＦＦタイミングを制御して前記操作スイッチの動作制御を行う制御部とを備えた遊技機とすることができる。
【００２０】
前記制御部による制御は、前記ソレノイドのＯＮ／ＯＦＦを一定間隔で実施する、あるいは前記ソレノイドのＯＮ／ＯＦＦを可変させて実施するなど、種々の制御とすることができる。
【００２１】
この発明により、操作スイッチ装置による効果の高い演出を実行する遊技機を提供でき、遊技者の満足度を向上させることができる。
【発明の効果】
【００２２】
この発明により、押しボタンの突出および復帰動作を自在に実行でき、かつ、押しボタンの操作荷重を遊技者が感じられるほどに変化させることができる操作スイッチ装置および遊技機を提供し、遊技者にインパクトのある演出効果を与えることができる。
【図面の簡単な説明】
【００２３】
【図１】遊技機の盤面表側を示す斜視図。
【図２】操作スイッチ装置と遊技機を接続する電気系統の概略ブロック図。
【図３】操作スイッチ装置の各ユニットを分離して示す斜視図。
【図４】操作スイッチ装置を上面側から見た分解斜視図。
【図５】操作スイッチ装置を下面側から見た分解斜視図。
【図６】裏面カバーを一部断面斜視図により説明する説明図。
【図７】操作スイッチ装置の構成を示す説明図。
【図８】操作スイッチ装置の縦断右側面図。
【図９】操作スイッチ装置の動作を示す説明図。
【図１０】一部拡大した断面図による説明図。
【図１１】制御部に従って実行する動作のタイミングチャート。
【図１２】実施例２の操作スイッチ装置の説明図。
【発明を実施するための形態】
【００２４】
この発明の一実施形態を以下図面と共に説明する。  
【実施例１】
【００２５】
図１は、弾球遊技機の一例であるパチンコ遊技機である遊技機１の盤面表側を示す斜視図である。遊技機１の盤面表側には、上部に遊技面２が設けられ、その下部に、遊技球（以下、球と称す）を打ち出し用に貯留させる上皿４と、払い出し用に球を貯留させる下皿６とが上下に配設されている。下皿６の左部上面には、操作スイッチ装置５が設けられている。遊技機１の右下側には、遊技者の回動操作によって球の打撃力を調整させる球発射用の発射ハンドル７が備えられている。
【００２６】
遊技機１は、この発射ハンドル７の回動量に応じて、盤面裏側の発射装置（図示省略）より球を１球ずつ発射させる。発射された球は、搬送レール３に沿って遊技面２へと供給されて遊技が開始される。そして、操作スイッチ装置５による演出や遊技入力も行われる。
【００２７】
図２は、操作スイッチ装置５と遊技機１を接続する電気系統を示す概略ブロック図である。  
図示するように、操作スイッチ装置５には遊技機コネクタ７７が設けられており、この遊技機コネクタ７７に検知信号ケーブルＫ１と駆動信号ケーブルＫ２の一端が接続されている。検知信号ケーブルＫ１と駆動信号ケーブルＫ２の他端は、遊技機１の制御部９に接続されている。これにより、操作スイッチ装置５がスイッチＯＮ／ＯＦＦされた検知信号を制御部９に送信し、制御部９から受信するソレノイド駆動信号やＬＥＤのＯＮ／ＯＦＦ駆動信号といった駆動信号により操作スイッチ装置５が駆動する。
【００２８】
図３は、操作スイッチ装置５の各ユニットを分離して示す斜視図である。図４は、操作スイッチ装置５を上面側から見た分解斜視図であり、図５は、操作スイッチ装置５を下面側から見た分解斜視図である。図６は、裏面カバー９０を一部断面斜視図により説明する説明図である。図７は、操作スイッチ装置５の構成を示す説明図であり、図７（Ａ）は上面側からみた斜視図、図７（Ｂ）は下面側から見た斜視図を示す。
【００２９】
図３に示すように、操作スイッチ装置５は、表面パネル１０で構成されるパネル部Ｕ１と、レンズ２０と拡散レンズプレート２５とレンズ保持部３０とで構成される操作ボタン部Ｕ２と、中間体４０で構成される中間可動部Ｕ３と、ケース５０と基板７０（図４参照）とソレノイド部８０と裏面カバー９０とで主に構成される本体部Ｕ４とで主に構成されている。
【００３０】
図４および図５に示すように、表面パネル１０は、平面視略三角形で上下方向に鉛直な高さを有する内側が中空の外周壁部１１と、該外周壁部１１の下方外側に設けられたフランジ部１４とを有している。この外周壁部１１およびフランジ部１４の内側にはレンズ２０が挿通される開口１３が設けられている。
【００３１】
外周壁部１１の内面には、内側へ凸状で上下方向にまっすぐな上下動リブ１２が複数設けられている。この上下動リブ１２がレンズ２０の外周に当接し、レンズ２０がスムーズに上下動できるようにしている。
【００３２】
フランジ部１４は、外周が外周壁部１１より外側へ突出しているとともに、内周が外周壁部１１よりも外側に広がっている。これにより、内側面に段差部１７（図５参照）が形成されている。また、フランジ部１４の下面には、下方へ突出する係合突起１５が正面側と背面側の２箇所に設けられている。この係合突起１５には、それぞれ係合孔１６が設けられている。
【００３３】
レンズ２０は、平面視略三角形で高さのある形状であり、底面が開放された内部中空の形状で透明若しくは半透明の素材により形成されている。このレンズ２０の上面は、光による演出が明瞭に見えるように円滑な形状に形成されている。レンズ２０の側面下部には、装着孔２１が左右対称に設けられている。
【００３４】
拡散レンズプレート２５は、レンズ２０の内部空間２２（図５参照）の内壁に当接する大きさの略三角形のプレートであり、透明若しくは半透明の素材によって形成されている。この拡散レンズプレート２５の正面には、演出文字２６が凹凸により形成されている。
【００３５】
レンズ保持部３０は、平面視略三角形で内部が中空のガイド部３１と、ガイド部３１の内側に設けられた３つの接続アーム３５と、該接続アーム３５の底面視中央（中心）に設けられて下方へ突出する円筒形の支持足部３７とを有している。支持足部３７の下端には、凹部３８（図５参照）が設けられており、この凹部３８内の底面視中央（中心）に鉄芯側突出部３９が設けられている。また、ガイド部３１の内側には、接続アーム３５以外の部分が３箇所の空洞となっており、これらの空洞により３つの光通過孔３４が形成されている。
【００３６】
ガイド部３１の外周下部には、フランジ部３２が突出形成されている。このフランジ部３２は、表面パネル１０の段差部１７の内径より少し大きく形成されている。これにより、操作ボタン部Ｕ２が突出時にパネル部Ｕ１の上方へ抜け出ないように抜け止め係止されている。また、ガイド部３１には、装着突起３３が左右対称に設けられている。この装着突起３３は、レンズ２０の装着孔２１に嵌まり込んで装着される。
【００３７】
中間体４０は、レンズ保持部３０のフランジ部３２よりも小さい大きさで上下方向に所定の高さを有する外周部４１と、該外周部４１の上面に設けられた３つの接続アーム４５と、該接続アーム４５の中央に下方へ突出して設けられた円筒部４７とを備えている。外周部４１の底辺には、係止凸部４２が設けられている。この中間体４０は、３つの接続アーム４５の上面が、レンズ保持部３０の３つの接続アーム３５の下面に安定して当接する。これにより、レンズ保持部３０と中間体４０とが当接している状態のとき、一体的に安定して押下／突出方向へ移動できるようにしている。
【００３８】
外周部４１の正面と背面の下端には、下方へ突出した後に外側へ突出する抜け止め突起４３がそれぞれ設けられている。外周部４１の内側には、接続アーム４５以外の部分に３箇所の光通過孔４４が設けられている。背面側の接続アーム４５の下面には、板状のセンサ遮光部４６が下方へ突出して設けられている。
【００３９】
円筒部４７の内部は中空であり、挿通孔４８（図５参照）が設けられている。この挿通孔４８は、レンズ保持部３０の支持足部３７がスムーズに挿通できる大きさに形成されている。円筒部４７の外側には、該円筒部４７よりも上下に長く円筒部４７よりも少し半径大の復帰バネＢ１が配置される。
【００４０】
ケース５０は、レンズ保持部３０よりも外形が大きく所定の高さを有する形状であり、内側上部にレンズ保持部３０を上下動可能に収納するレンズ収納凹部５１を備え、該レンズ保持部３０の下方で中間体４０を上下動可能に収納する中間体収納凹部５２を備えており、その下方に台座部５５が設けられている。
【００４１】
台座部５５は、手前側と左右両奥側に計３つの光通過孔５６が設けられており、奥側中央にセンサ用孔５７が設けられている。台座部５５の上面は、押下方向に移動する中間体４０の係止凸部４２が当接して該中間体４０が係止される係止面５５ｂとして機能する。また、台座部５５の中央には、上下方向の挿入凹部５８が設けられている。この挿入凹部５８は、中間体４０の円筒部４７とその外周の復帰バネＢ１とがスムーズに挿入される大きさに形成されている。挿入凹部５８の下部は、半径小となる鉄芯通過孔６０が設けられている。
【００４２】
台座部５５の裏面には、裏面カバー９０等をネジＮにより取り付ける円柱形の装着アーム６１が設けられている。この装着アーム６１は、円筒形で上下方向に長く下端にネジＮ用のネジ孔６２が設けられている。
【００４３】
ケース５０の外周には、上部にフランジ部５３が設けられ、該フランジ部５３の下方位置の正面及び背面には、装着突起５４が前後対称に設けられている。
【００４４】
基板７０は、プリント基板部７１の上面に３つのＬＥＤ７４と１つのセンサ７２が設けられ、下面にソレノイドコネクタ７６と遊技機コネクタ７７とが設けられている。
【００４５】
３つのＬＥＤ７４のＯＮ／ＯＦＦは、制御部９によって独立して制御され、同時発光や順次発光など適宜の発光演出がなされる。この３つのＬＥＤ７４の光は、対向しているケース５０の光通過孔５６とレンズ保持部３０の光通過孔３４をまっすぐ通過して拡散レンズプレート２５およびレンズ２０を透過する。これにより、拡散レンズプレート２５やレンズ２０が発光しているように演出することができる。
【００４６】
センサ７２は、中央に溝７３が設けられてこの溝７３を挟んで投光部と受光部が対向配置されている。そして、投光部の光を受光部で受光できるか否かによって、溝７３内に中間体４０のセンサ遮光部４６が進入しているか否かを検知する。また、プリント基板部７１の中央には可動鉄芯８６の挿通を許容する挿通孔７５が設けられている。
【００４７】
ソレノイド部８０は、上面の装着体８１にソレノイド８５がネジ止めされて構成されている。装着体８１は、左右へ突出する装着アーム８２が設けられており、この２つの装着アーム８２のそれぞれにネジ孔８３が設けられている。また、ソレノイド８５には、基板７０のソレノイドコネクタ７６に接続する接続コネクタ８４が設けられている。
【００４８】
ソレノイド８５の中心には、上下方向へ長い棒状の可動鉄芯８６が設けられている。この可動鉄芯８６の下端は、所定の大きさの円盤形状に形成されたバネ当接板８７が設けられている。
【００４９】
バネ当接板８７に当接されるソレノイド復帰バネＢ２は、下端部分の半径大の大径部Ｂ２２と、残りの部位で半径小の小径部Ｂ２１とを有している。
【００５０】
裏面カバー９０は、上面が開放されて内部にソレノイド部８０を収納するカバーであり、上面に装着アーム８２を収納するアーム装着部９１が設けられている。このアーム装着部９１には、ネジ孔９２が設けられている。また、中央部には、ソレノイド８５やソレノイド復帰バネＢ２や可動鉄芯８６などを収納するソレノイド収納孔９３が設けられている。
【００５１】
ソレノイド収納孔９３の底面には、図６（Ａ）および図６（Ｂ）の一部断面斜視図に示すように、ソレノイド復帰バネＢ２の大径部Ｂ２２を固定する固定部９５が設けられている。この固定部９５は、平面視略Ｕ字型でソレノイド復帰バネＢ２の大径部Ｂ２２を囲う大きさに形成されており、内面側に複数の固定突起９６を備えている。この固定突起９６は、先端がソレノイド復帰バネＢ２の大径部Ｂ２２よりも内側に位置するため、ソレノイド復帰バネＢ２の大径部Ｂ２２が裏面カバー９０の底面で固定されて抜け止めされる。
【００５２】
また、ソレノイド収納孔９３の底面で固定部９５のＵ字型の開放側には、位置規制突起９７が突設されている。この位置規制突起９７と固定部９５により、ソレノイド復帰バネＢ２の大径部Ｂ２２が水平方向にずれないようにしている。
【００５３】
次に、これらの各構成要素の装着について説明する。  
まず、裏面カバー９０の底部にソレノイド復帰バネＢ２が固定され、ソレノイド収納孔９３にソレノイド８５が収納されて、アーム装着部９１にソレノイド部８０の装着アーム８２が収納される。
【００５４】
そして、ケース５０とソレノイド部８０とで基板７０を挟み込むようにして、ネジ孔９２、ネジ孔８３、およびネジ孔６２の順にネジＮが螺入されてネジ止めされる。これにより、ケース５０、基板７０、ソレノイド部８０、および裏面カバー９０が固定されて本体部Ｕ４が構成される。このとき、基板７０のセンサ７２は、ケース５０のセンサ用孔５７に挿通され、基板７０の３つのＬＥＤ７４は、ケース５０の３つの光通過孔５６に対向配置される。
【００５５】
一方、レンズ２０の内部空間２２に拡散レンズプレート２５が収納されて、レンズ２０の装着孔２１にレンズ保持部３０の装着突起３３が装着されて操作ボタン部Ｕ２が構成される。
【００５６】
そして、図３に示すように、本体部Ｕ４の挿入凹部５８に復帰バネＢ１が挿入され、該復帰バネＢ１内に円筒部４７が挿入されるようにして中間可動部Ｕ３が中間体収納凹部５２に収容される。
【００５７】
さらに、中間可動部Ｕ３の挿通孔４８に支持足部３７を挿入するようにして操作ボタン部Ｕ２がレンズ収納凹部５１に収容され、パネル部Ｕ１が被せられて係合孔１６に装着突起５４が係合して固定される。
【００５８】
このようにして、図７に示すように、一体化した操作スイッチ装置５が完成する。パネル部Ｕ１と本体部Ｕ４は固定されて移動せず、操作ボタン部Ｕ２が上下動する状態となる。
【００５９】
次に、このようにして完成した操作スイッチ装置５の構成と機能について説明する。  
図８は、操作スイッチ装置５の縦断右側面図を示し、図９は、動作を示す説明図である。
【００６０】
図８に示すように、裏面カバー９０の底部に設けられたソレノイド復帰バネＢ２は、可動鉄芯８６のバネ当接板８７を下方から上方へ付勢し、図示する高さを保つようにしている。すなわち、ソレノイド８５がバネ当接板８７を上方へ引き付け可能な距離よりバネ当接板８７が下方に位置して停止しないようにしており、かつ、バネ当接板８７が上方へ移動できる空間Ｅを確保している。
【００６１】
この可動鉄芯８６の上端には、操作ボタン部Ｕ２の鉄芯側突出部３９が当接している。これにより、操作ボタン部Ｕ２が押下方向である図示下方へ押下されると、可動鉄芯８６が下方へ下がることができる。この下方へ下がる距離は、中間体４０の外周部４１の係止凸部４２が本体部Ｕ４の台座部５５の係止面５５ｂに当接するまでの距離であり、可動鉄芯８６のバネ当接板８７が固定部９５に当接するまでの距離は、この係止凸部４２が係止面５５ｂに当接するまでの距離以上に確保している。
【００６２】
可動鉄芯８６がソレノイド８５によって突出方向である図示上方へ上がると、操作ボタン部Ｕ２も上方へ上がる。この上方へ上がる距離は、操作ボタン部Ｕ２のフランジ部３２がパネル部Ｕ１の段差部１７に当接するまでの距離となる。
【００６３】
また、本体部Ｕ４の挿入凹部５８に挿入された復帰バネＢ１により中間可動部Ｕ３が上方へ付勢された状態で待機位置に配置されている。この中間可動部Ｕ３は、本体部Ｕ４の台座部５５に設けられた上動規制部５５ａに抜け止め突起４３が下方から当接し、これより上方へ移動して本体部Ｕ４から中間可動部Ｕ３である中間体４０が抜けないように係止される。操作ボタン部Ｕ２が下方へ押下されると、これに伴って中間可動部Ｕ３が下方へ移動する。このとき、センサ遮光部４６が下方へ下がってセンサ７２の遮光を行うため、センサ７２によって押下が検知される。
【００６４】
押下解除されると、復帰バネＢ１の付勢力によって復帰し、上動規制部５５ａに抜け止め突起４３が当接した状態で停止する。なお、可動鉄芯８６がソレノイド８５によって上方へ上がった場合、中間可動部Ｕ３はその場で停止して移動せず、操作ボタン部Ｕ２が上方へ移動する。
【００６５】
このようにして、図９（Ａ）に示す通常状態から、遊技者によって操作ボタン部Ｕ２が矢印Ｙ１に示す押下方向へ直接手で押下されると、図９（Ｂ）に示すように、操作ボタン部Ｕ２、中間可動部Ｕ３、および可動鉄芯８６が図の矢印に示すように下方へ同時に移動する。この押下時の移動距離は、例えば２．５ｍｍ程度とすることができる。
【００６６】
また、図９（Ｃ）に示す通常状態から、制御部９がソレノイド８５をＯＮさせて、可動鉄芯８６が矢印Ｙ２に示す突出方向へ移動すると、図９（Ｄ）に示すように、可動鉄芯８６および操作ボタン部Ｕ２が図の矢印Ｙ２に示すように突出方向である図示上方へ同時に移動する。この突出時の移動距離は、例えば２ｍｍ程度とすることができる。これにより、レンズ２０が表面パネル１０から大きく突出した状態となる。このとき、中間体４０は、待機状態と同じ高さ位置で保持されたままであり、移動しない。
【００６７】
この上方へ移動された状態で操作ボタン部Ｕ２が押されると、ソレノイド８５により可動鉄芯８６が上方へ持ち上げられる力がかかっているため、通常よりも強く押さないと下方へ押下できないこととなる。従って、押下の感触が変わり、通常状態ではないことを遊技者が感じることができる。
【００６８】
さらに、突出位置から押下位置までの移動距離は、例えば４．５ｍｍ程度と通常より長くなるため（この例では倍以上長くなる）、通常よりも深く押下する感触となり、遊技者に演出を実感させることができる。
【００６９】
また、ソレノイド８５をＯＦＦすると、可動鉄芯８６が自重によってソレノイド復帰バネＢ２に支持される待機状態まで移動し、フリー状態となった操作ボタン部Ｕ２は、待機状態まで移動して中間体４０に支持されて停止する。
【００７０】
次に、上述した動作をスムーズに実現するための細部の構成について説明する。  
図１０は、一部拡大した断面図による説明図である。なお、図１０（Ａ）〜（Ｃ）は、解りやすくするために傾斜を実際よりも強くして図示している。
【００７１】
図１０（Ａ）は、操作ボタン部Ｕ２のレンズ保持部３０の鉄芯側突出部３９付近を拡大表示している縦断面図である。  
この鉄芯側突出部３９は、略円筒形に形成されており、下端外面の直径Ｌ１より上端外面の直径Ｌ２が大きくなるように外面３９ｏにテーパをつけて形成されている。また、鉄芯側突出部３９の外側にある凹部３８を形成する支持足部３７の内面３７ｉは、上端内面の直径Ｌ３より下端内面の直径Ｌ４が大きくなるようにテーパをつけて形成されている。また、支持足部３７の外面３７ｏは、下端外面の直径Ｌ５より上端外面の直径Ｌ６が大きくなるようにテーパをつけて形成されている。
【００７２】
図１０（Ｂ）は、中間可動部Ｕ３の円筒部４７付近を拡大表示している縦断面図である。  
図示するように、円筒部４７の内面４７ｉは、上端内面の直径Ｌ１１より下端内面の直径Ｌ１２が小さくなるようにテーパをつけて形成されている。また、上端内面の直径Ｌ１１は、操作ボタン部Ｕ２の支持足部３７の上端外面の直径Ｌ６と同一かわずかに大きく形成され、円筒部４７の内面４７ｉのテーパと支持足部３７の外面３７ｏのテーパが同一角度となるように形成されている。これにより、円筒部４７の内側に収納される支持足部３７は、ソレノイド８５による可動鉄芯８６の上方への移動による押圧力で、スムーズに円筒部４７の上方へ抜け出ることができる。
【００７３】
図１０（Ｃ）は、本体部Ｕ４の台座部５５の挿入凹部５８および鉄芯通過孔６０付近を拡大表示している縦断面図である。  
鉄芯通過孔６０の周囲には上方へ起立する円筒部５９が設けられている。この円筒部５９の外面５９ｏは、下端外面の直径Ｌ２１より上端外面の直径Ｌ２２の方が小さくなるようにテーパをつけて形成されている。この上端外面の直径Ｌ２２は、操作ボタン部Ｕ２の支持足部３７の上端内面の直径Ｌ３と同一かわずかに小さく形成され、下端外面の直径Ｌ２１は、支持足部３７の下端内面の直径Ｌ４よりわずかに小さく形成されて、円筒部５９の外面５９ｏのテーパと支持足部３７の内面３７ｉのテーパが同一角度になるように形成されている。
【００７４】
また、円筒部５９の内面５９ｉは、上端内面の直径Ｌ２３より下端内面の直径Ｌ２４の方が小さくなるようにテーパをつけて形成されている。この上端内面の直径Ｌ２３は、操作ボタン部Ｕ２の鉄芯側突出部３９の上端外面の直径Ｌ２と同一かわずかに大きく形成され、下端内面の直径Ｌ２４は、鉄芯側突出部３９の下端外面の直径Ｌ１よりわずかに大きく形成されて、円筒部５９の内面５９ｉのテーパと鉄芯側突出部３９の外面３９ｏのテーパが同一角度になるように形成されている。
【００７５】
この構成により、円筒部５９の内と外を被覆する鉄芯側突出部３９と支持足部３７を有する操作ボタン部Ｕ２は、ソレノイド８５による可動鉄芯８６の上方への移動による押圧力で、スムーズに円筒部５９の上方へ抜け出ることができる。
【００７６】
図１０（Ｄ）は、可動鉄芯８６の先端付近を拡大表示している縦断面図である。  
この可動鉄芯８６は、まっすぐの円柱形状に形成され、外面の直径Ｌ３１が、本体部Ｕ４の円筒部５９の内面最小径となる直径Ｌ２４よりもわずかに小さく形成されている。これにより、円筒部５９の内側で可動鉄芯８６がスムーズに上下動できるようになっている。
【００７７】
図１０（Ｅ）は、上述した操作ボタン部Ｕ２の支持足部３７および鉄芯側突出部３９、中間可動部Ｕ３の円筒部４７、本体部Ｕ４の円筒部５９が最大限重なり、可動鉄芯８６が当接している状態の部分拡大縦断面図である。
【００７８】
このように、操作ボタン部Ｕ２の支持足部３７は、外面３７ｏが中間可動部Ｕ３の円筒部４７の内面４７ｉに当接し、内面３７ｉが本体部Ｕ４の円筒部５９の外面５９ｏに当接する。また、操作ボタン部Ｕ２の鉄芯側突出部３９の外面３９ｏは、本体部Ｕ４の円筒部５９の内面５９ｉに当接する。  
なお、図示している全てが最大限重なっている状態は、操作ボタン部Ｕ２が遊技者によって最大限押し込まれた状態である。
【００７９】
図１１は、操作スイッチ装置５が遊技機１の制御部９に従って実行する動作のタイミングチャートである。  
操作スイッチ装置５の駆動動作としては、ソレノイド８５のＯＮ／ＯＦＦ動作がある。ソレノイド８５がＯＮのときは、操作ボタン部Ｕ２が上方へ突出して目立つとともに遊技者の押下に対する抗力が大きくなり、ソレノイド８５がＯＦＦのときは、操作ボタン部Ｕ２が通常状態となって遊技者の押下に対する抗力が小さくなる。また、ソレノイド８５のＯＮ／ＯＦＦを短時間に何度も繰り返すという演出もできる。
【００８０】
まず、（Ａ）に示すようにソレノイド８５がＯＦＦであるタイミングＴ１の場合、（Ｂ）に示すように操作ボタン部Ｕ２の高さは通常の高さであり、遊技者は小さい押圧力で操作ボタン部Ｕ２の押下および解除を行える。
【００８１】
操作ボタン部Ｕ２が押下されると、（Ｃ）に示すように可動鉄芯８６が下がり、（Ｄ）に示すようにセンサ７２がスイッチＯＮを検知する。
【００８２】
次に、（Ａ）に示すようにソレノイド８５が所定時間の間ＯＮとなっているタイミングＴ２のとき、（Ｂ）に示すように操作ボタン部Ｕ２の高さは上方位置に突出した状態となっている。このとき、（Ｃ）に示すように可動鉄芯８６も上方位置に突出しており、ソレノイド８５による上方への押圧力がかかっている状態である。この状態から遊技者が操作ボタン部Ｕ２の押下をすると、ソレノイド８５によって通常よりも強い力で押下しなければ押下できず、遊技者に対して期待感を抱かせる演出となる。また、押下のストロークも長くなるため、これによっても遊技者に対して期待感を抱かせる演出となる。このように強い力で長いストロークの押下がなされると、（Ｄ）に示すようにセンサ７２がスイッチＯＮを検知する。このように、ソレノイド８５を所定時間ＯＮすることで、操作ボタン部Ｕ２の操作荷重を変更することができる。
【００８３】
次に、（Ａ）に示すようにソレノイド８５を短時間で交互にＯＮ／ＯＦＦを繰り返すタイミングＴ３のとき、（Ｂ）に示すように操作ボタン部Ｕ２の高さが通常位置と上方位置との間で繰り返し上下動する。このため、遊技者に対して高い期待感を抱かせる演出となる。そして、遊技者によって操作ボタン部Ｕ２が押下されると、（Ｃ）に示すように可動鉄芯８６の位置が下方へ下がり、（Ｄ）に示すようにセンサ７２がスイッチＯＮを検知する。
【００８４】
このように、タイミングＴ１〜Ｔ３によって、遊技者から見た操作ボタン部Ｕ２の状態が通常状態位置（操作ボタン部Ｕ２および鉄芯８６の位置が図１１の０）、高位置（操作ボタン部Ｕ２および鉄芯８６の位置が図１１の＋２）、上下移動（操作ボタン部Ｕ２および鉄芯８６の位置が図１１の＋２と−２．５を往復）と異なるため、遊技者に期待感を抱かせる演出を行える。また、押下される際にも、タイミングＴ１〜Ｔ３によって押下する感触が異なってくるため、遊技者に期待感を抱かせる演出を行える。さらに、遊技者が操作ボタン部Ｕ２の押下を解除すれば、復帰バネＢ１によって操作ボタン部Ｕ２が通常の高さに復帰するとともに、ソレノイド復帰バネＢ２の付勢力によって可動鉄芯８６のバネ当接板８７がソレノイド８５で吸着可能な位置に復帰する。このため、ソレノイド８５がＯＮとなってもバネ当接板８７が遠すぎて吸着できずに可動鉄芯８６が動かないということを防止でき、常時良好な動作を行うことができる。
【００８５】
このようにソレノイド８５へのＯＮ／ＯＦＦを交互に行うことで、操作ボタン部Ｕ２が本体部Ｕ４から突出・没入を交互に繰り返すのであるが、ＯＮ／ＯＦＦ頻度を変更（電圧をパルス印加するパルスを変更）することで、操作ボタン部Ｕ２のアクションを変え、演出の期待度を変更するなどの効果が得られる。特にパルス波長を短くすることで、操作ボタン部Ｕ２を早く上下動させることができ、遊技者の期待感を高める演出を行える。また、このようなパルス印加の際に遊技者が操作ボタン部Ｕ２に触れると、遊技者に振動感を与えることができる。これにより、期待感を高める演出ができる。
【００８６】
なお、タイミングチャートには示していないが、ソレノイド８５へのパルス印加に伴ってＬＥＤ７４の照光状態と遊技機１の筐体側の音とを同期させることで、操作ボタン部Ｕ２の動作状態をアピールさせることができる。また、遊技者によって、操作ボタン部Ｕ２が押下されることで、パルス印加のパルス幅を変更したり、パルス印加を停止したりすることもできる。
【００８７】
以上の構成および動作により、操作ボタン部Ｕ２の突出および復帰動作を自在に実行でき、かつ、操作ボタン部Ｕ２の操作荷重を遊技者が感じられるほどに変化させることができる。
【００８８】
特に、操作ボタン部Ｕ２の突出と、該突出状態でのソレノイド８５の吸着力に起因する押下操作時に必要な操作荷重の増大とを両方同時に実行できるため、この突出と操作荷重増大という演出を遊技者に明瞭に認識させることができる。
【００８９】
また、中間体４０と復帰バネＢ１と抜け止め突起４３および上動規制部５５ａとを備えたことにより、待機状態での操作ボタン部Ｕ２の姿勢を安定させることができ、遊技者にわかりやすい明瞭な突出動作および突出解除動作を実行することができる。
【００９０】
また、ソレノイド８５が可動鉄芯８６を突出させることによって操作ボタン部Ｕ２を直接突出させることができる。また、外面３９ｏおよび内面５９ｉを、可動鉄芯８６側から操作ボタン部Ｕ２側へ向かって末広がりとなるテーパ形状に形成したことにより、操作ボタン部Ｕ２の突出動作をスムーズに実行することができる。
【００９１】
また、上下動リブ１２と円筒部５９とを備えたことにより、操作ボタン部Ｕ２が移動時に傾動することを防止でき、安定した押下／突出動作を実現できる。
【００９２】
また、操作スイッチ装置５，５Ａによる効果の高い演出を実行する遊技機１を提供でき、遊技者の満足度を向上させることができる。
【００９３】
また、操作ボタン部Ｕ２の鉄芯側突出部３９とソレノイド８５の可動鉄芯８６は、操作ボタン部Ｕ２の平面視中央で押下／突出方向へ一直線に連なっており、かつ、この一直線に連なる中心線の同心円状に円筒部５９、支持足部３７、および支持足部３７が存在しているため、押下操作による押下／復帰とソレノイド８５による突出／解除がバランスよく安定して実行される。
【００９４】
制御部９から駆動信号ケーブルＫ２を介して様々な駆動制御信号を送信することで、ソレノイド８５のＯＮ／ＯＦＦのタイミングと回数によって様々な動作を実行でき、操作ボタン部Ｕ２を様々に動作させて演出することができる。操作ボタン部Ｕ２を突出状態と通常状態とに連続的に移動させることで、振動を視覚的に演出し、遊技者が明瞭に視認できる演出を行うことができ、遊技者にインパクトのある演出効果を与えることができる。また、ソレノイド８５のＯＮ／ＯＦＦのタイミングを可変させ、さらにＬＥＤ７４の発光色を変更したり、ＬＥＤ７４の発光タイミングを可変させたりすれば、それらを組み合わせて多くの様々な演出パターンを構成することができる。
【実施例２】
【００９５】
図１２は、実施例２の操作スイッチ装置５Ａについて縦断面図を用いて説明する説明図である。  
この実施例２の操作スイッチ装置５Ａは、実施例１で説明した中間可動部Ｕ３（中間体４０）および復帰バネＢ１を省略したものである。センサ７２に検知させるセンサ遮光部４６は、操作ボタン部Ｕ２のレンズ保持部３０の下面に設けられている。  
その他の構成は、実施例１と同一であるため、同一要素に同一符号を付してその詳細な説明を省略する。
【００９６】
以上の構成により、実施例１と同様、操作ボタン部Ｕ２の突出、および、ソレノイド８５のＯＮによる押下操作に対する抗力増加を同時に実行することができ、遊技者を楽しませることができる。  
また、実施例１の中間体４０および復帰バネＢ１を削減したことにより、コストダウンを図ることができる。  
なお、実施例１から中間体４０のみを削減し、復帰バネＢ１は残す構成とすることもできる。この場合は、中間体４０の排除によるコストダウンをした上で、復帰バネＢ１による十分な付勢力を得ることが可能となる。
【００９７】
この発明の構成と、上述の実施形態との対応において、
この発明の遊技部は、実施形態の遊技面２に対応し、
以下同様に、
遊技媒体投入部は、上皿４に対応し、
遊技媒体払い出し部は、下皿６に対応し、
外周ガイド部は、上下動リブ１２に対応し、
鉄芯側突出筒部は、支持足部３７に対応し、
突出筒部挿通孔は、挿入孔４８に対応し、
当接面は、外面３７ｏと内面４７ｉに対応し、
突出方向抜け止め手段は、抜け止め突起４３および上動規制部５５ａに対応し、
鉄芯側ガイド部は、円筒部５９に対応し、
押下検知部は、センサ７２に対応し、
中間体付勢手段は、復帰バネＢ１に対応し、
付勢手段は、ソレノイド復帰バネＢ２に対応し、
ケーシングは、パネル部Ｕ１および本体部Ｕ４に対応し、
操作ボタンは、操作ボタン部Ｕ２に対応するが、
この発明は、上述の実施形態の構成のみに限定されるものではなく、多くの実施の形態を得ることができる。
【産業上の利用可能性】
【００９８】
この発明は、遊技媒体を用いる遊技機に用いることができ、特に遊技に関連して押下操作を求める遊技機に適宜用いることができる。
【符号の説明】
【００９９】
１…遊技機、２…遊技面、４…上皿、５，５Ａ…操作スイッチ装置、６…下皿、９…制御部、１２…上下動リブ、３７…支持足部、３７ｏ…外面、３９…鉄芯側突出部、４０…中間体、４３…抜け止め突起、４７ｉ…内面、５５ａ…上動規制部、５９…円筒部、７２…センサ、８５…ソレノイド、８６…可動鉄芯、Ｂ１…復帰バネ、Ｂ２…ソレノイド復帰バネ、Ｕ１…パネル部、Ｕ２…操作ボタン部、Ｕ４…本体部
【図１】
0005609311.tif 000002
【図２】
0005609311.tif 000003
【図３】
0005609311.tif 000004
【図４】
0005609311.tif 000005
【図５】
0005609311.tif 000006
【図６】
0005609311.tif 000007
【図７】
0005609311.tif 000008
【図８】
0005609311.tif 000009
【図９】
0005609311.tif 000010
【図１０】
0005609311.tif 000011
【図１１】
0005609311.tif 000012
【図１２】
0005609311.tif 000013